(57)【要約】      （修正有）【課題】ティーショットによってそれほど遠くまで跳ね飛ばされにくく、ティーショット後には見つけ出しやすいゴルフティーを提供する。【解決手段】ボール受部を有する支柱をティー本体と残部３０とに分割し、ティー本体を周方向複数箇所で複数の片状部材３１，３２，３３に分割する。それぞれの片状部材の根元部３４，３５，３６を、ヒンジ４１，４２，４３を介して残部３０に開閉揺動可能に連結する。複数の片状部材を閉じることによってそれらを閉じ姿勢に保ち、かつ、ボール受部に載置されたゴルフボールを打撃したときの衝撃で複数の片状部材が開き姿勢になることを許容する片状部材仮止め機構を備える。ヒンジを樹脂ヒンジとしたり、片状部材仮止め機構を突起５１と孔部５２とで形成したりすることが可能である。【選択図】図２
0003206656.tif 000002
【実用新案登録請求の範囲】
【請求項１】
地面に突き刺される支柱の上端にゴルフボールが載置されるボール受部が設けられているゴルフティーであって、
上記支柱がその中間部で上記ボール受部を有するティー本体と残部とに分割され、かつ、上記ティー本体がその周方向複数箇所で複数の片状部材に分割され、それぞれの片状部材の根元部が上記残部にヒンジを介して開閉揺動可能に連結されていると共に、複数の上記片状部材を閉じることによってそれらを閉じ姿勢に保ち、かつ、上記ボール受部に載置されたゴルフボールを打撃したときの衝撃で複数の上記片状部材が開き姿勢になることを許容する片状部材仮止め機構を備えていることを特徴とするゴルフティー。
【請求項２】
上記ヒンジが、上記残部及びそれぞれの上記片状部材と共に一体成形された樹脂ヒンジでなる請求項１に記載したゴルフティー。
【請求項３】
上記ヒンジが、上記片状部材を常時開き方向に付勢している請求項１又は請求項２に記載したゴルフティー。
【請求項４】
上記片状部材仮止め機構が、上記周方向で相隣接している２つの上記片状部材に各別に振り分けて設けられた突起とその突起が嵌脱可能な孔部とでなる請求項１ないし請求項３のいずれか１項に記載したゴルフティー。
【請求項５】
上記ティー本体が、等角度おきの周方向３箇所で３つの片状部材に分割されている請求項１ないし請求項４のいずれか１項に記載したゴルフティー。
【考案の詳細な説明】
【技術分野】
【０００１】
本考案は、ティーグランドに立ってティーショットを打つときに使用されるゴルフティーに関する。
【背景技術】
【０００２】
図５に一般的なゴルフティーの従来例を示している。同図のゴルフティーは、支柱１の上端にゴルフボールが載置されるボール受部２が設けられている。ゴルフプレーヤーは、支柱１の下端部３をティーグランドの地面Ｇに突き刺し、ボール受部２にゴルフボール４を載置した状態で、クラブヘッドでゴルフボール４を打撃（ティーショット）する。こうしてティーショットが行われると、打撃時の衝撃によってゴルフティーが跳ね飛ばされる。そして、跳ね飛ばされたゴルフティーは、ティーショット後にプレーヤーなどが見つけ出して回収するのが普通である。この種のゴルフティーには、木製や樹脂製のもの、ゴム製のものなどがあり、回収後には再使用されることが多い。
【０００３】
ゴルフティーの先行例としては、地面に突き刺したときの高さ調整を容易に行えるような工夫を講じたもの（特許文献１参照）や、ティーショットでのゴルフボールの飛距離を伸ばすための工夫を講じたもの（特許文献２参照）などが知られている。
【先行技術文献】
【特許文献】
【０００４】
【特許文献１】特開２０１２−８１０３２号公報
【特許文献２】特開２００８−１４２４９０号公報
【考案の概要】
【考案が解決しようとする課題】
【０００５】
しかしながら、ゴルフティーは長さが数センチメートル程度の小さいものであり、また、ティーショットによって跳ね飛ばされる位置を正確に把握できるようなものではない。そのため、プレーヤーなどが回収するときにゴルフティーを容易に見つけ出すことができなかったり、見つけ出すのに時間がかかったりすることがある。そのため、ティーショット後に、跳ね飛ばされたゴルフティーがそのまま放置され、放置されたゴルフティーが後続のプレーヤーに危険を及ぼすといった状況も起こり得る。
【０００６】
本考案は以上の状況に鑑みてなされたものであり、上記した従来例と同様のサイズでの使用状態が得られるものでありながら、ティーショットによってそれほど遠くまで跳ね飛ばされにくく、ティーショット後には見つけ出しやすい程度にサイズが大きくなるゴルフティーを提供することを目的とする。
【課題を解決するための手段】
【０００７】
本考案に係るゴルフティーは、地面に突き刺される支柱の上端にゴルフボールが載置されるボール受部が設けられている。そして、上記支柱がその中間部で上記ボール受部を有するティー本体と残部とに分割され、かつ、上記ティー本体がその周方向複数箇所で複数の片状部材に分割され、それぞれの片状部材の根元部が上記残部にヒンジを介して開閉揺動可能に連結されていると共に、複数の上記片状部材を閉じることによってそれらを閉じ姿勢に保ち、かつ、上記ボール受部に載置されたゴルフボールを打撃したときの衝撃で複数の上記片状部材が開き姿勢になることを許容する片状部材仮止め機構を備えている。
【０００８】
この考案によると、複数の片状部材を閉じ合わせ、片状部材仮止め機構の作用によってそれらの閉じ姿勢を保たせておくことにより、地面に突き刺される支柱の上端にゴルフボールが載置されるボール受部が設けられた形状になるので、その形状のまま、図５を参照して説明した従来例のゴルフティーと同様の使用状態が得られる。また、ボール受部にゴルフボールを載置してティーショットを行うと、片状部材仮止め機構の作用によって複数の片状部材が開き姿勢になることが許容されるため、打撃時の衝撃で開き姿勢になった複数の片状部材が空気抵抗を増大させることになり、その結果、ゴルフティーがそれほど遠くまで跳ね飛ばされなくなるだけでなく、複数の片状部材が開き姿勢になることによって当該ゴルフティーのサイズが大きくなり、跳ね飛ばされた箇所に落ちているゴルフティーを見つけ出しやすくなる。
【０００９】
本考案では、上記ヒンジが、上記残部及びそれぞれの上記片状部材と共に一体成形された樹脂ヒンジでなることが望ましい。この構成を採用することにより、ヒンジに別部材を用いた物に比べて当該ゴルフティーを安価に提供することが可能になる。
【００１０】
本考案では、上記ヒンジが、上記片状部材を常時開き方向に付勢していることが望ましい。この構成であると、ティーショットの打撃時の衝撃で片状部材が開き姿勢になりやすいので、上記した作用、すなわち、それほど遠くまで跳ね飛ばされなくなるという作用や、跳ね飛ばされた箇所に落ちているゴルフティーを見つけ出しやすくなるという作用が顕著に発揮される。
【００１１】
本考案では、上記片状部材仮止め機構が、上記周方向で相隣接している２つの上記片状部材に各別に振り分けて設けられた突起とその突起が嵌脱可能な孔部とでなる、という構成を採用することが可能であり、この構成を採用することによって、全体が一体成形された当該ゴルフティーを安価に提供することが可能になる。
【００１２】
本考案では、上記ティー本体が、等角度おきの周方向３箇所で３つの片状部材に分割されていることが望ましい。この構成を採用すると、片状部材が細くなりすぎて耐用性が極端に低下するという事態が起こりにくい。また、特に、片状部材仮止め機構を上記のように突起と孔部とによって構成したものでは、互いに嵌合した突起と孔部とが適度の強さで係合することになって片状部材仮止め機構の作用が確実に発揮される。
【考案の効果】
【００１３】
以上説明したように、本考案に係るゴルフティーによると、従来例と同様のサイズでの使用状態が得られるものでありながら、ティーショット後には見つけ出しやすい程度にサイズが大きくなり、しかも、ティーショットによってそれほど遠くまで跳ね飛ばされにくくなる。そのため、プレーヤーなどが回収するときにゴルフティーを容易に見つけ出すことができ、ティーショット後に、跳ね飛ばされたゴルフティーがそのまま放置されて後続のプレーヤーに危険を及ぼすといった状況も起こりにくくなる。
【図面の簡単な説明】
【００１４】
【図１】本考案の実施形態に係るゴルフティーの概略斜視図である。
【図２】図１のゴルフティーの異なる状態での概略斜視図である。
【図３】図１のゴルフティーの要部の縦断側面図である。
【図４】図１のゴルフティーの一部破断平面図である。
【図５】一般的なゴルフティーの従来例の使用状態を示した側面図である。
【考案を実施するための形態】
【００１５】
図１は本考案の実施形態に係るゴルフティーの概略斜視図、図２は同ゴルフティーの異なる状態での概略斜視図、図３は同ゴルフティーの要部の縦断側面図である。また、図４は同ゴルフティーの一部破断平面図である。
【００１６】
図１に示したように、実施形態のゴルフティーは、円柱状の支柱１０の上端にボール受部１１が設けられている。プレーヤーがティーショットを行うときには、支柱１０の下端部１３を地面に突き刺し、ボール受部１１に載置したゴルフボール（不図示）をクラブヘッドで打撃する。
【００１７】
図１又は図２に示したように、このゴルフティーにおいて、支柱１０は、その長手方向略中央部で、ボール受部１１を有するティー本体２０と残部３０とに分割されている。さらに、ティー本体２０がその周方向等角度（１２０度）おきの３箇所で３つの片状部材３１，３２，３３に分割されている。そして、それぞれの片状部材３１，３２，３３の根元部３４，３５，３６がヒンジ４１，４２，４３を介して残部３０に放射方向で開閉揺動可能に連結されている。また、このゴルフティーは、３つの片状部材３１，３２，３３を閉じることによってそれらを閉じ姿勢に保ち、かつ、ボール受部１１に載置されたゴルフボールを打撃したときの衝撃で３つの片状部材３１，３２，３３が開き姿勢になることを許容する片状部材仮止め機構５０（図４参照）を備えている。
【００１８】
上記構成を備えたゴルフティーによると、図１のように３つの片状部材３１，３２，３３を閉じ合わせ、図４に示した片状部材仮止め機構５０の作用によってそれらの閉じ姿勢を保たせておくことにより、地面に突き刺される支柱１０の上端にゴルフボールが載置されるボール受部１１が設けられた形状になるので、その形状のまま、図５を参照して説明した従来例のゴルフティーと同様の使用状態が得られる。また、ボール受部１１にゴルフボールを載置してティーショットを行うと、片状部材仮止め機構５０の作用によって３つの片状部材３１，３２，３３が図２に例示したような開き姿勢になることが許容されるため、打撃時の衝撃で開き姿勢になった３つの片状部材３１，３２，３３が空気抵抗を増大させることになり、その結果、ゴルフティーがそれほど遠くまで跳ね飛ばされなくなるだけでなく、３つの片状部材３１，３２，３３が開き姿勢になることによって当該ゴルフティーのサイズが大きくなり、跳ね飛ばされた箇所に落ちているゴルフティーを見つけ出しやすくなる。そのため、ティーショット後に、跳ね飛ばされたゴルフティーがそのまま放置されて後続のプレーヤーに危険を及ぼすといった状況も起こりにくくなる。
【００１９】
図１〜図３によって類推できるように、この実施形態では、支柱１０の残部３０に３つの片状部材３１，３２，３３を連結しているヒンジ４１，４２，４３が、残部３０及びそれぞれの片状部材３１，３２，３３と共に一体成形された側面視横向きＵ字形の樹脂ヒンジによって構成されている。この点に関し、ヒンジに、軸受と軸体とを組み合わせて構成したものを採用することも可能ではあるが、そのような構成のヒンジを採用することは、消耗品であるゴルフティーの組立工程が煩雑になって価格が高くつくばかりか、クラブヘッドでの打撃時の衝撃でヒンジが損傷しやすくなって再利用頻度が低下しやすくなると考えられる。しかし、この実施形態のように、ヒンジ４１，４２，４３を、残部３０及びそれぞれの片状部材３１，３２，３３と共に一体成形された樹脂ヒンジによって構成しておくと、成形後の組立工程が不要になって安価に提供することが可能になり、しかも、クラブヘッドでの打撃時の衝撃を受けても、ヒンジ４１，４２，４３が損傷しにくくなって耐久性が向上し、再利用性が向上する。
【００２０】
また、この実施形態において、ヒンジ４１，４２，４３は、柔軟な弾力性を有しているけれども、一定の幅を具備していることによって３つの片状部材３１，３２，３３が放射方向で開閉動しやすくなるように、それらを残部３０に連結している。さらに、ヒンジ４１，４２，４３は、無負荷の自然状態では、それら自体の弾力性によって、３つの片状部材３１，３２，３３を放射方向に開く方向に弱く付勢している。このため、ティーショットの打撃時の衝撃で３つの片状部材３１，３２，３３が放射方向に開いて図２に例示した開き姿勢になりやすいので、空気抵抗を増大させてそれほど遠くまで跳ね飛ばされなくなるという作用が顕著に発揮されるようになる。また、３つの片状部材３１，３２，３３が放射方向に開いてサイズを増大させるので、プレーヤーなどにとっては、跳ね飛ばされた箇所に落ちているゴルフティーを見つけ出しやすくなる。
【００２１】
図２又は図４のように、片状部材仮止め機構５０は、個々の片状部材３１，３２，３３が個別に有する２つの平坦な合わせ面Ｓ１，Ｓ２のそれぞれに振り分けて設けられた突起５１と凹入状の孔部５２とを有している。そして、周方向で相隣接している２つの片状部材、たとえば図４に示した２つの片状部材３１，３３の一方側に設けられた突起５１と他方側に設けられた孔部５２とが嵌脱可能になっている。他の相隣接している２つの片状部材３１，３２や、さらに他の相隣接している２つの片状部材３２，３３に設けられている突起５１及び孔部５２についても同様である。また、突起５１及び孔部５２の軸線Ｌは、上記した平坦な合わせ面Ｓ１，Ｓ２に対して垂直であるのに対し、上記ヒンジ４１，４２，４３の作用による３つの片状部材３１，３２，３３が開閉動する方向である放射方向Ｆとは互いに交差する方向になっている。このように、突起５１及び孔部５２の軸線Ｌと片状部材３１，３２，３３の開閉動する方向とが交差していると、互いに嵌合した突起５１と孔部５２とが適度の強さで係合したり、片状部材３１，３２，３３の開動時に適度な大きさの摩擦抵抗が生じたりすることになるので、片状部材仮止め機構５０の仮止め作用が確実に発揮されるという利点がある。
【００２２】
ティーショットの衝撃によって３つの片状部材３１，３２，３３が図２に例示したように開いてしまったゴルフティーを再使用するときには、３つの片状部材３１，３２，３３を閉動させて図１のように閉じ合わせ、相対応する突起５１と孔部５２とを嵌合させることによって３つの片状部材３１，３２，３３を閉じ姿勢に保っておく。
【００２３】
この実施形態では、ヒンジ４１，４２，４３に樹脂ヒンジを採用しているけれども、この点は、上記したような軸受と軸体とを組み合わせて構成したものであっても、あるいは、糸や紐などを利用した線状のヒンジを採用してもよい。また、ティー本体２０を周方向で分割することによって形成される片状部材の数は、３つに限定されるものではなく、２つであっても、３つより多い複数であってもよい。さらに、支柱１０をティー本体２０と残部３０とに分割する箇所は、必ずしも長手方向略中央部である必要はなく、下端に近い中間部であっても、上端に近い中間部であってもよい。
【符号の説明】
【００２４】
１０  支柱
１１  ボール受部
２０  ティー本体
３０  残部
３１，３２，３３  片状部材
３４，３５，３６  片状部材の根元部
４１，４２，４３  ヒンジ（樹脂ヒンジ）
５０  片状部材仮止め機構
５１  突起
５２  孔部
【図１】
0003206656.tif 000003
【図２】
0003206656.tif 000004
【図３】
0003206656.tif 000005
【図４】
0003206656.tif 000006
【図５】
0003206656.tif 000007